(57)【特許請求の範囲】
【請求項１】
導電性を有する物品１を電気絶縁性皮膜２で被覆した絶縁被覆物３を、電極板等の所定形状の支持電極４上に該絶縁被覆物３の側面部31を接触させて載置するとともに、支持電極４に一端を接地した高圧電源６より高電圧を印加して電気絶縁性被膜２で被覆した物品１に連続帯電せしめる一方、
該絶縁被覆物３の上面に一端を接地した刷子状電極５を接触乃至近接しながら水平方向に移動せしめて刷子状電極５が接触乃至近接している部分に電流変化が起っているか否かを検知し又は該部分にスパークが発生しているか否かを確認すると共に、
前記絶縁被覆物３を支持電極４上で上下反転させて電気絶縁性皮膜２で被覆した物品１に連続帯電せしめ、同じく刷子状電極５を絶縁被覆物３の上面に接触乃至近接しながら移動せしめて刷子状電極が接触乃至近接している部分に電流変化が起っているか否かを検知して又は該部分にスパークが発生しているか否かを確認して、電気絶縁性皮膜２で被覆した絶縁被覆物３のピンホールを検出することによりピンホールの位置を特定し、
前記支持電極４は、絶縁被覆物３を載置可能に、電気絶縁板42を電極板41上面に重畳形成したことを特徴とする、絶縁被覆物のピンホール検査方法。
【請求項２】
前記刷子状電極５が、微小肉厚、細巾の矩形断面を有する所定長のアモルファス合金製の接触素子5aを、微小間隙をおいて細巾方向に単列状態で通電可能にホルダー5bに刷子状に配列固着せしめた、請求項１に記載の絶縁被覆物のピンホール検査方法。
【請求項３】
絶縁被覆物３が、薬液や食品其の他各種の導電性を有する内容物１を電気絶縁性被膜２で被包した偏平状の密封包装物である請求項１または２に記載の絶縁被覆物のピンホール検査方法。
【請求項４】
絶縁被覆物３が、金属線１を電気絶縁性被膜２で被覆した絶縁電線３を所定形状に偏平状に屈曲成形した絶縁電線加工物である請求項１から３のいずれかに記載の絶縁被覆物のピンホール検査方法。
【発明の詳細な説明】
【０００１】
【発明の属する技術分野】
この発明は、薬液や食品其の他金属線などの導電性を有する物品を電気絶縁性皮膜で被覆した絶縁被覆物のピンホールを検査するための方法に関する。
【０００２】
【従来の技術】
従来、薬液や食品其の他導電性を有する物品を電気絶縁性皮膜で被包した密封包装物のピンホールを検査するべく、ベルトコンベヤ上で被検体を搬送して電気絶縁性皮膜部に発生したピンホールを電気的に検出するようにしたピンホール検査装置は、特開2001-163312 号公報、特開2001-174442 号公報に示されているように公知である。この場合被検体のピンホールの有無は、搬送により移動する被検体の上下方向から電極を被検体に接触するように、少くとも下部電極は前後２つのコンベヤの間から（上部電極は前後のベルトコンベヤの間上方又は間の前後上方から) 被検体の通路に臨ませて、電位の差により被検体の電極接触部に電流変化が起っているか否かを検知して、密封包装物のピンホールを検出するようにしている。
【０００３】
一方、絶縁電線加工物（絶縁電線のＵ字形など切断成形物）の場合は、被検部を水に漬け、切断端部（導通部）と水との間に電圧を印加し、絶縁電線の絶縁皮膜と水との接触部に電流変化が起っているか否かを検知して、絶縁電線加工物のピンホールを検出するようにしている。
【０００４】
【発明が解決しようとする課題】
上記何れの検査方法でも、被検体面の電気絶縁性皮膜のピンホールの有無は検出できても、そのピンホールがどの位置に発生したかは全く不明であった。
本発明は、この点に着目してなされたものであって、密封包装物や絶縁電線加工物など導電性を有する物品を電気絶縁性皮膜で被覆した絶縁被覆物のピンホールとその発生位置を検査する方法を提供することを目的としている。
【０００５】
【課題を解決するための手段】
上記目的を達成するために、本発明の絶縁被覆物のピンホール検査方法に於ては、導電性を有する物品１を電気絶縁性皮膜２で被覆した絶縁被覆物３を、電極板等の所定形状の支持電極４上に該絶縁被覆物３の側面部31を接触させて載置するとともに、支持電極板４に一端を接地した高圧電源６より高電圧を印加して電気絶縁性皮膜２で被覆した物品１に連続帯電せしめる一方、該絶縁被覆物３の上面に一端を接地した刷子状電極５を接触乃至近接しながら水平方向に移動せしめて刷子状電極５が接触乃至近接している部分に電流変化が起っているか否かを検知し又は該部分にスパークが発生しているか否かを確認すると共に、前記絶縁被覆物３を支持電極４上で上下反転させて電気絶縁性皮膜２で被覆した物品１に連続帯電せしめ、同じく刷子状電極５を絶縁被覆物３の上面に接触乃至近接しながら移動せしめて刷子状電極が接触乃至近接している部分に電流変化が起っているか否かを検知して又は該部分にスパークが発生しているか否かを確認して、電気絶縁性皮膜２で被覆した絶縁被覆物３のピンホールを検出することによりピンホールの位置を特定するという方法をとっている。
【０００６】
この場合、支持電極４上に、絶縁被覆物３を載置せしめると、支持電極にかかる高電圧により、絶縁被覆物３の電気絶縁性皮膜２で被覆された物品１は、支持電極４にかかる高電圧（0.6kv 〜30kv) のプラス又はマイナスの電位により帯電してプラス（＋）イオン又はマイナス（−）イオンが発生する（図１参照）。
【０００７】
次に、絶縁被覆物３の上面に一端を接地した刷子状電極５を接触乃至近接しながら水平方向に移動せしめると、刷子状電極５が接触乃至近接している電気絶縁性皮膜２にピンホールがあるとき、ピンホールを通して放電する。
ピンホールがないと前記物品１内の電荷は放電しない。従って、この放電電流を検知することにより、刷子状電極５が接触乃至近接している部分に電流変化が起っているか否かを検知して電気絶縁性皮膜２で被覆した絶縁被覆物３のピンホールを検出することでピンホールの位置を特定することができる（図１参照）。また、刷子状電極が接触乃至近接している部分にスパークが発生した場合は、音又は光により容易にピンホールを検出するとともに、その位置を特定することができる。
【０００８】
前記において、刷子状電極５が絶縁被覆物３の上面に近接したときピンホールの位置を検出してその位置を特定できるということは、絶縁被覆物が密封包装物である場合、内容物１の上部に空気層があっても検査可能なことを意味している。
【０００９】
支持電極４としては、絶縁被覆物３を載置可能に、電気絶縁板42を電極板41上面に重畳形成することが望ましい。
これは、刷子状電極５を絶縁被覆物３の上面に接触しながら水平方向に移動せしめて検査する場合、該被覆物の端部を検査するとき高圧電源に接続された支持電極４と刷子状電極５とが往々にして短絡状態となり電源６や電流変化を検知するセンサに故障が発生する原因となるが、このような場合でも支持電極４上面に重畳形成された電気絶縁板42により短絡を防止することができ、安定して検査を行うことができる。
さらに、検査に当り、高電圧部分に人が触れることを防止するため、人に対し危険性がなく安全である。
【００１０】
また、刷子状電極５として、通常の刷子状電極を使用することもできるが、微小肉厚、細巾の矩形断面を有する所定長のアモルファス合金製の接触素子を、微小間隙をおいて細巾方向に単列状態で通電可能にホルダーに刷子状に配列固着したもの（図３参照）を用いると良い。
これにより、各接触素子は横方向にばらけることがなく、従来のブラシ状電極が被検物表面の円弧状部などでＶ字状に毛割れしていたのを防止する。
【００１１】
本発明においては、絶縁被覆物３として偏平状の密封包装物以外に金属線１を電気絶縁性皮膜２で被覆した絶縁電線３を所定形状に偏平状に屈曲成形した絶縁電線加工物（図５参照）にも、支持電極４を、電極板41上面に電気絶縁板42を重畳形成したものを用いて好適に安定して検査を行うことができる（図４参照）。
【００１２】
【発明の実施の形態】
本発明においては、検査すべきレトルト食品などの偏平状密封包装物３は、袋を形成する電気絶縁性皮膜２には、ナイロンとポリプロピレン、又はポリエステルとポリプロピレン、ポリエステルと塩化ビニリデンとポリプロピレンの複合フイルムが用いられ、検査すべき絶縁電線加工物には、方形など所定断面の金属線１に電気絶縁性皮膜２を施した絶縁電線を切断して所定形状に屈曲成形したものが用いられる。
また、高圧電源６は、この実施の形態では、交流高圧電源を使用しているが、直流高圧電源でも使用可能である。
以下本発明の実施の形態を添付の図面に基づいて説明する。
【００１３】
図１に示す実施形態は、絶縁被覆物が偏平状密封包装物の場合の、本発明の原理を示す検査方法の構成図である。偏平状密封包装物３の側面部31に接触せしむべき支持電極４は、該密封包装物３の側面部31全面を支持する平板状の所定寸法の例えばアルミ板を用い、該支持電極４の下部を導線を介して、出力側の一端を接地した交流高圧電源６の高電圧出力側端子に接続する。
【００１４】
偏平状密封包装物３の上面に接触しながら水平方向に移動せしむべき刷子状電極５は、通常のブラシ状電極を使用することができるが、この実施の形態では、密封包装物の被検面に円弧状など凸面がある場合に備え、従来のブラシ状電極では断面円形の細い金属線からなる接触素子がばらけてＶ字形に毛割れすることがあったのを防止できるように、図３に示す刷子状電極５を用いている。
【００１５】
この刷子状電極５は、通電のための刷子として、微小肉厚ｔ、細巾ｂの矩形断面を有する所定長のアモルファス合金製の接触素子5aを、微小間隙ｇをおいて細巾方向に単列状態で用いるが複数列を用いることもできる。
【００１６】
検査に当り、支持電極４上に、偏平状密封包装物３を載置せしめると、支持電極４にかかる交流高電圧（例えばＡＣ５ｋｖ）のプラス（＋）、マイナス（−）に変動する高電位により該密封包装物３の内容物１は、電気絶縁性皮膜２を通してプラス（＋）、マイナス（−）を交互に帯電せしめられる。
【００１７】
次に、刷子状電極５の接触素子5aの反対側に導線８を接続して電流変化を検知するためのセンサ７を介して接地し、偏平状密封包装物３の上面に該刷子状電極５の接触素子5aを接触乃至近接しながら水平方向に移動せしめて刷子状電極５の接触素子5aが接触乃至近接している部分に電流変化が起こっているか否かを検知する。このセンサ７には、導線８を囲繞した電流検知部を備えた検知装置等任意のものを使用することができる。
また、検査に当り、密封包装物３を上下反転して検査を行うことによりピンホールを検出して偏平状密封包装物３の両面のピンホールの位置を容易に特定することができる。
【００１８】
図２に示す実施形態は、前記図１に示す検査方法では刷子状電極５が密封包装物３の周縁部を検査するとき、該刷子状電極５の接続素子5aの先端がともすれば周縁部から外れて下部の支持電極４に接触して短絡事故を起すのを未然に防止したものである。
この実施形態では、密封包装物３を載置可能な支持電極４を、アルミ等金属製の電極板41の上面に該電極板41を完全に覆うように、例えばアクリル板等の電気絶縁板42を重畳して一体形成する。
【００１９】
図４に示す実施態様は、絶縁被覆物が絶縁電線加工物３の場合の本発明の検査方法の構成図である。
絶縁電線加工物としては、例えば図５に示すような絶縁電線加工物３を用いる。
【００２０】
絶縁電線加工物３の上面に接触しながら水平方向に移動せしむべき刷子状電極は、前記実施形態と同じ刷子状電極５を使用する。勿論通常のブラシ状電極の全巾を狭くして使用しても良い。
【００２１】
該刷子状電極５の接触素子5aの反対側に導線８を接続して電流変化を検知するためのセンサ７を介して接地するのは、前述の実施形態と同様である。次に、刷子状電極５の接触素子5aを被検物である絶縁電線加工物３の線条に跨がるように上方から押しつけ、線条に沿い水平方向に移動せしめる。そして刷子状電極５の接触素子5aが接触している部分に電流変化が起っているか否かをセンサ７で検知し、電流変化を検知したときの刷子状電極５の位置でピンホールの位置を特定することができる。次に上下反転して同様に検査を行い、ピンホールがある場合、その位置を特定することができる。この検査に当っては、刷子状電極５の接触素子5aの先端は、電極板４上面に接触しても、該電極板４上面の電気絶縁板42により高電位のかかる電極板41との接触を遮断されるため短絡事故を起こすことがない。
【００２２】
前記のごとく絶縁被覆物３における電気絶縁性皮膜２に被覆された物品１、すなわち絶縁被覆物３が密封包装物の場合は内容物１、絶縁被覆物３が絶縁電線加工物の場合は被覆された金属線１に帯電してその放電電流を検知して検査する場合、被検部すなわち密封包装物の場合は内容物１を被包した電気絶縁性皮膜２、絶縁電線加工物の場合は電線表面の絶縁皮膜２にピンホールがないと放電電流を検知してピンホールの位置を特定できないことから、放電電流の検知により検査時の雰囲気に関係なくピンホールを誤差なく検出して刷子状電極５の位置から又はスパーク放電による光及び音によりピンホールの位置を特定することができる。該刷子状電極５の巾、従って接触素子5aの配列巾は広くなく狭い方がピンホールの位置の特定に有利である。また、精密に位置を特定する場合は電極５を傾けて接触素子の一部が当たるようにすると良い。
【００２３】
なお、実施の形態では高圧電源６として有利な交流高圧電源を使用したが、直流高圧電源を使用することも勿論可能であり、この場合該直流高圧電源の接地はプラス（＋）、マイナス（−）何れの側でも使用することができる。
また、前記実施の形態以外に本発明による絶縁被覆物の検査方法は、飲み薬のアンプル類にも支持電極を円弧状の内面部を有するものにして同様に用いることにより、ピンホールを検出してその位置を特定することが可能であり、本発明の要旨を逸脱しない範囲内で種々の変更を行うことができる。
【００２４】
【発明の効果】
本発明の絶縁被覆物のピンホール検査方法によれば、従来のピンホール検査方法が、薬液や食品などの密封包装物や絶縁電線加工物など、導電性を有する物品を電気絶縁性皮膜で被覆した絶縁被覆物のピンホールを検査する場合、被検体面の電気絶縁性皮膜のピンホールの有無は検出できても、そのピンホールがどの位置に発生したかは全く不明であったが、本発明では支持電極板上に載置した絶縁被覆物の被覆された内部の導電性を有する物品に帯電せしめて、被覆した電気絶縁性皮膜面に刷子状電極を接触乃至近接しながら水平方向に移動せしめて、刷子状電極が接触乃至近接している部分に電流変化が起っているか否かの検知及びスパークの放電による閃光及び音によりピンホールの位置を特定することができるようにすると共に、ピンホールの検出に被検物の帯電した電荷の放電電流を用いたことにより従来のように湿度や浮遊している微細な塵その他検査時における雰囲気に影響を受けることなく、きわめて簡単な手段で該動作の発生を完全に防止して効率的に密封包装物や絶縁電線加工物のピンホールを検出すると共にピンホールの位置を検査することができる。
【００２５】
この発明によれば、絶縁被覆物の支持電極として高圧電源の出力側に接続する電極板上面に電気絶縁板を重畳形成したことにより、刷子状電極を被検物である絶縁被覆物上面に接触しながら水平方向に移動せしめてピンホールの検査する場合、該絶縁被覆物の端部において、刷子状電極が支持電極に接触して短絡状態になるということがなく、安定して検査を行うことができる。さらに検査に当り、高電圧部分に人が触れることを防止するため、人に対し危険性がなく安全である。
【００２６】
この発明によれば、刷子状電極として微小肉厚、細巾の矩形断面を有する所定長のアモルファス合金製の接触素子を微小間隙をおいて細巾方向に単列状態で通電可能にホルダーに刷子状に配列固着したことにより、各接触素子は検査時横方向にばらけることがなく、従来のブラシ状電極のように被検体によりＶ字状に毛割れするのを防止し、非接触部が発生するのを防止して検査することができる。
【００２７】
この発明によれば、絶縁被覆物として偏平状の密封包装物以外に、金属線を電気絶縁性皮膜で被覆した絶縁電線を所定形状に偏平状に屈曲成形した絶縁電線加工物も好適に検査対象物とすることができる。
【図面の簡単な説明】
【図１】絶縁被覆物が偏平状密封包装物の場合の請求項１に係る本発明の原理を示す検査方法の構成図である。
【図２】絶縁被覆物が偏平状密封包装物の場合の包装物周縁部を検査するときの刷子状電極の短絡を未然に防止した請求項２に係る検査方法の構成図である。
【図３】刷子状電極の一例を示す請求項３に係る刷子状電極の説明図である。
【図４】絶縁被覆物が絶縁電線加工物の場合の本発明の検査方法の構成図である。
【図５】絶縁電線加工物の一例を示す説明図である。
【符号の説明】
１…導電性を有する物品（内容物、金属線）、 ２…電気絶縁性皮膜、  ３…絶縁被覆物（偏平状密封包装物、絶縁電線加工物）、 31…絶縁被覆物の側面部、４…支持電極、  41…電極板、  42…電気絶縁板、  ５…刷子状電極、 5a…接触素子、 5b…ホルダー、 ６…高圧電源、  ７…センサ。
【図１】
0003940311.tif 000002
【図２】
0003940311.tif 000003
【図３】
0003940311.tif 000004
【図４】
0003940311.tif 000005
【図５】
0003940311.tif 000006